(57)【要約】【課題】  画質を向上させたラインヘッドおよびそれを用いた画像形成装置の提供。【解決手段】図１（ａ）は、ロッドレンズ透過後に像担持体上に形成される露光スポットの主走査方向配列を示しており、図１（ｂ）は、発光素子の光量補正後の露光スポットの配列を示している。図１（ａ）において、正規の露光スポットの間隔ｐａに対して、露光スポット９０ａと９０ｂの間隔はｐａ＋ｄａとなり広がっている。この場合には、露光スポット９２のように対応する発光素子の光量を増大させて、印字濃度に濃淡差が生じないようにする。【選択図】    図１
2007210139.tif 000002
【特許請求の範囲】
【請求項１】
複数の発光素子が単一基板の主走査方向にライン状に配列され、前記発光素子からの出射光がレンズアレイを通して被露光面に露光スポットを形成するラインヘッドにおいて、
前記レンズアレイを透過したすべての露光スポットのドットピッチを測定し、前記測定された各ドットピッチを基準のドットピッチと比較して、前記比較結果に基づいて前記各発光素子の光量補正を行うことを特徴とする、ラインヘッド。
【請求項２】
前記発光素子は、有機ＥＬ素子であることを特徴とする、請求項１に記載のラインヘッド。
【請求項３】
前記発光素子は、単一のガラス基板上に形成されてなることを特徴とする、請求項１または請求項２に記載のラインヘッド。
【請求項４】
前記発光素子と、前記発光素子の駆動用薄膜トランジスタ回路が、前記ガラス基板上に形成されてなることを特徴とする、請求項１ないし請求項３のいずれかに記載のラインヘッド。
【請求項５】
像担持体の周囲に帯電手段と、請求項１ないし請求項４のいずれかに記載のラインヘッドと、現像手段と、転写手段との各画像形成用ユニットを配した画像形成ステーションを少なくとも２つ以上設け、転写媒体が各ステーションを通過することにより、タンデム方式で画像形成を行うことを特徴とする画像形成装置。
【請求項６】
静電潜像を担持可能に構成された像担持体と、ロータリ現像ユニットと、請求項１ないし請求項４のいずれかに記載のラインヘッドとを備え、前記ロータリ現像ユニットは、複数のトナーカートリッジに収納されたトナーをその表面に担持するとともに、所定の回転方向に回転することによって異なる色のトナーを順次前記像担持体との対向位置に搬送し、前記像担持体と前記ロータリ現像ユニットとの間に現像バイアスを印加して、前記トナーを前記ロータリ現像ユニットから前記像担持体に移動させることで、前記静電潜像を顕像化してトナー像を形成することを特徴とする画像形成装置。
【請求項７】
中間転写部材を備えたことを特徴とする、請求項５または請求項６に記載の画像形成装置。
【発明の詳細な説明】
【技術分野】
【０００１】
本発明は、画質を向上させたラインヘッドおよびそれを用いた画像形成装置に関するものである。
【背景技術】
【０００２】
一般に、電子写真方式の画像形成装置は、外周面に感光層を有する像担持体としての感光体と、この感光体の外周面を一様に帯電させる帯電手段と、この帯電手段により一様に帯電させられた外周面を選択的に露光して静電潜像を形成する露光手段と、この露光手段により形成された静電潜像に現像剤であるトナーを付与して可視像（トナー像）とする現像手段とを有している。
【０００３】
前記構成の画像形成装置において、露光手段として、ラインヘッドに発光素子のＬＥＤや有機ＥＬ素子を設けたものが知られている。このような構成のラインヘッドにおいて、発光素子としてＬＥＤを用いた場合には、１つの印字行を形成するために、ＬＥＤを実装している複数のチップを基板上に直線状に並べている。
【０００４】
例えば、特許文献１には、前記のような構成のラインヘッドが記載されている。特許文献１に記載されているような構成のラインヘッドについて、図７、図８により説明する。図７は、ＬＥＤを実装している複数のチップを基板上に直線状に並べたラインヘッドの例を示す説明図、図８は、印字濃度に濃淡が生じる例を示す説明図である。図７において、図示を省略している基板上に、ＬＥＤチップ８２ａ、８２ｂが実装されている。８４は、ロッドレンズのようなレンズである。
【０００５】
各ＬＥＤチップ８２ａ、８２ｂには、複数のＬＥＤ８３が主走査方向に配列されている。各ＬＥＤの間隔（ピッチ）をｐ、各ＬＥＤチップ８２ａ、８２ｂ間の間隔をｄとする。この場合に、異なるＬＥＤチップ８２ａ、８２ｂの端部のＬＥＤ同士の距離が、ＬＥＤチップ上における各ＬＥＤの間隔ｐと異なってしまう場合がある。図７の例では、前記異なるＬＥＤチップ８２ａ、８２ｂの端部のＬＥＤ同士の距離は、ｐ＋ｄとなる。
【０００６】
このように、ＬＥＤ間の距離が相違するのは、ＬＥＤを搭載したチップを基板上に実装する際に、ＬＥＤチップ間の間隙ｄを正確に制御することは難しいからである。なお、図７のように、発光素子８３の出射光を正倍率のレンズ８４を通して像担持体などの被露光面に結像スポットを形成する場合には、各発光素子（ＬＥＤ）の間隔ｐは、結像スポットの間隔と対応する。
【０００７】
図８は、図７に対応する印字濃度の例を示す説明図であり、図８（ａ）は、露光スポット間隔を示している。また、図８（ｂ）は、印字濃度を示している。図８（ａ）において、露光スポット間隔ｐｘは図７の各ＬＥＤの間隔ｐと対応する。また、露光スポット間隔ｄｘは図７の各ＬＥＤチップ８２ａ、８２ｂ間の間隔ｄと対応する。ＧａはＬＥＤの間隔が一定の場合の露光スポット間隔の特性、ＧｘはＬＥＤの間隔が広がる場合の露光スポット間隔の特性である。Ｌｖは、図７のＬＥＤチップ８２ａ、８２ｂ間の中心線である。
【０００８】
図８（ｂ）において、印字濃度は、露光スポット間隔ｐｘの部分では、一定の濃度特性Ｇｂとなる。また、露光スポット間隔ｄｘの部分の印字濃度特性は、Ｇｙのようになり、Ｇｂよりも低下する。このように、ＬＥＤチップ両端で、間隔ｄを介して隣接するＬＥＤが離れすぎると、印字結果に白すじが生じ、反対に隣接するＬＥＤが近すぎると、印字結果に黒すじが生じる。このように、ＬＥＤチップ両端で間隔ｄが存在することにより、印字結果に濃淡が生じるという問題があった。
【０００９】
そこで、特許文献１では、ＬＥＤチップ間の露光スポットの間隔を計測し、このＬＥＤチップ間の長さによる影響が画像に表れないように補正が行われていた。
【特許文献１】特開平０８−１１８７２２号公報
【発明の開示】
【発明が解決しようとする課題】
【００１０】
特許文献１に記載されているようなＬＥＤを用いた画像形成装置における前記補正は、ＬＥＤチップ端部における個別のＬＥＤに対する駆動電流を制御するものであり、複雑な制御を要するという問題があった。そこで、発光素子として有機ＥＬ素子を用いたラインヘッドのような、単一基板上に発光素子が設けられたラインヘッドが開発されている。このようなラインヘッドにおいては、前記ＬＥＤチップ間の間隔は存在しないので、ＬＥＤチップ間の長さによる影響が画像に表れないという利点がある。
【００１１】
しかしながら、ロッドレンズのような光学系を用いて有機ＥＬ素子の出射光を被露光面に照射するラインヘッドにおいては、次のような問題が生じる。すなわち、発光素子基板の取り付け精度、もしくは前記出射光がレンズ系を透過することによって被露光面に露光スポットを形成させる場合には、露光スポットの位置ずれが発生し、印字の濃淡むらの発生原因となる
【００１２】
本発明は、従来技術のこのような種々の問題点に鑑みてなされたものであり、その目的は、露光スポットの位置ずれによって印字濃度に濃淡差が生じることを防止して、画質を向上させるラインヘッドおよびそれを用いた画像形成装置を提供することにある。
【課題を解決するための手段】
【００１３】
上記目的を達成する本発明のラインヘッドは、複数の発光素子が単一基板の主走査方向にライン状に配列され、前記発光素子からの出射光がレンズアレイを通して被露光面に露光スポットを形成するラインヘッドにおいて、
前記レンズアレイを透過したすべての露光スポットのドットピッチを測定し、前記測定された各ドットピッチを基準のドットピッチと比較して、前記比較結果に基づいて前記各発光素子の光量補正を行うことを特徴とする。このような構成としているので、露光スポットの位置ずれによって印字濃度に濃淡差が生じることを防止する。
【００１４】
また、本発明のラインヘッドは、前記光源は、有機ＥＬ素子で構成されることを特徴とする。このような構成によれば、発光部の直径を小さくしなくてよいので、発光部の光パワーを大きく取ることができる。このため、発光効率の高くない有機ＥＬ材料でも使用可能となる。
【００１５】
また、本発明のラインヘッドは、前記発光素子は、単一のガラス基板上に形成されてなることを特徴とする。このような構成としているので、ガラス基板上に一度に多数の画素を高密度かつ高精度に形成できる。
【００１６】
また、本発明のラインヘッドは、前記発光素子と、前記発光素子の駆動用薄膜トランジスタ（ＴＦＴ）回路が、前記ガラス基板上に形成されてなることを特徴とする。この構成によれば、光源の有機ＥＬ素子とＴＦＴを同一の工程で作成できるので、製造コストを低減することができる。
【００１７】
本発明の画像形成装置は、像担持体の周囲に帯電手段、前記いずれかのラインヘッド、現像手段、転写手段の各画像形成用ユニットを配した画像形成ステーションを少なくとも２つ以上設け、転写媒体が各ステーションを通過することにより、タンデム方式で画像形成を行うことを特徴とする。この構成によれば、タンデム方式の画像形成装置において、結像ピッチが不均一であることに起因した、印字濃度に濃淡差が発生する事態を防止することができる。
【００１８】
また、本発明の画像形成装置は、静電潜像を担持可能に構成された像担持体と、ロータリ現像ユニットと、前記いずれかのラインヘッドとを備え、前記ロータリ現像ユニットは、複数のトナーカートリッジに収納されたトナーをその表面に担持するとともに、所定の回転方向に回転することによって異なる色のトナーを順次前記像担持体との対向位置に搬送し、前記像担持体と前記ロータリ現像ユニットとの間に現像バイアスを印加して、前記トナーを前記ロータリ現像ユニットから前記像担持体に移動させることで、前記静電潜像を顕像化してトナー像を形成することを特徴とする。この構成によれば、ロータリ方式の画像形成装置において、露光スポットのドットピッチが不均一であることに起因した、印字濃度に濃淡差が発生する事態を防止することができる。
【００１９】
また、本発明の画像形成装置は、中間転写部材を備えたことを特徴とする。このため、中間転写部材を備えた画像形成装置において、露光スポットのドットピッチが不均一であることに起因した、印字濃度に濃淡差が発生する事態を防止することができる。
【発明の効果】
【００２０】
以上のように、本発明のラインヘッドおよびそれを用いた画像形成装置は、露光スポットのドットピッチが不均一であることに起因した、印字濃度に濃淡差が発生する事態を防止することができる。このため、画質の向上を図ることができる。
【発明を実施するための最良の形態】
【００２１】
図１は、本発明の実施形態にかかる説明図である。図７が発光素子の主走査方向配列を示しているのに対して、図１（ａ）においては、ロッドレンズ透過後に像担持体上に形成される露光スポットの主走査方向配列を示している。図１（ｂ）は、発光素子の光量補正後の露光スポットの配列である。図１（ａ）において、正規の露光スポット９０の間隔（ドットピッチ）をｐａとする。これに対して、露光スポット９０ａと９０ｂの間隔はｐａ＋ｄａ、露光スポット９０ｂと９０ｃの間隔はｐａ―ｄａ、露光スポット９０ｃと９０ｄの間隔はｐａである。
【００２２】
ここで、後述するような制御手段により、隣接する露光スポット９０間の間隔（この例では、ｐａ＋ｄａ、またはｐａ―ｄａ）は、前記正規の間隔ｐａよりも大きいか、または小さいかの大小が比較される。この比較の結果に基づいて、該当露光スポットに対応する発光素子の光量調整を行い、印字画像の濃度に濃淡差が発生しないようにしている。
【００２３】
図１（ｂ）は、発光素子の光量補正後の露光スポットの配列を示している。図１（ａ）の露光スポット９０ａと９０ｂの間隔は、正規の間隔ｐａよりもｄａだけ広がっている。そこで、露光スポット９０ａに対応する発光素子の光量を増大させ、露光スポットの形状を９２に示されているようにして、露光スポット９０ａの形状よりも拡大させる。
【００２４】
このように、露光スポット９２の形状を拡大することにより、図示右側に隣接する領域の印字濃度が高められる。しかしながら、露光スポット９２となるように当該発光素子の光量を増大すると、図示左側の領域の印字濃度も高められることになり、規定の濃度を超えることが考えられる。このため、本発明の実施形態においては、露光スポット９２の図示左側に位置する露光スポット９４の形状を正規の形状よりも小さくなるようにして、印字濃度が均一になるように調整している。
【００２５】
次に、図１（ａ）の露光スポット９０ｂと９０ｃの間隔は、正規の間隔ｐａよりもｄａだけ狭くなっている。そこで、露光スポット９０ｂ、９０ｃに対応する発光素子の光量を減少させ、露光スポットの形状を、それぞれ図示番号９３、９５に示されているように、露光スポット９０ｃ、９０ｄの形状よりも縮小させる。
【００２６】
図２は、本発明の処理手順を示すフローチャートである。図２において、露光スポット間のピッチを測定するために、ラインヘッドの主走査方向に配列されたすべての発光素子を点灯する（Ｓ１）。次に、被露光面に形成されているすべての露光スポットの位置を検出する（Ｓ２）。この露光スポットの位置を検出する際には、ＣＣＤカメラなどによる撮像画像を用いる。
【００２７】
制御手段により、前記各露光スポット間の間隔（ピッチ）を検出し、正規のピッチと比較する（Ｓ３）。この比較結果が正規のピッチの範囲内であれば、該当の発光素子を通常の露光パワーで駆動する（Ｓ４）。また、前記比較結果が正規のピッチの範囲外であれば、制御手段は該当の発光素子の露光パワーを補正する（Ｓ５）。次にこの補正された露光パワーにより該当の発光素子を駆動する（Ｓ４）。
【００２８】
図３は、本発明の実施形態にかかる制御部の概略構成を示すブロック図である。図３において、７０はパーソナルコンピュータ（ＰＣ）などを用いたホストコンピュータで、画像データを作成し、プリンタの制御部７１に設けられている制御回路７４に送信する。プリンタの制御部７１には、制御回路７４の外に、露光スポット位置検出手段のデータ入力部７２、露光スポット位置検出手段のデータを記憶するメモリ７３、駆動回路７４、発光素子への制御信号出力部７６が設けられている。
【００２９】
制御回路７２は、露光スポット位置検出手段のデータをメモリ７３から読み出して、前記各露光スポット間の間隔を正規のピッチと比較する。この比較結果が正規のピッチの範囲内であれば、該当の発光素子を通常の露光パワーで駆動するように制御信号を形成して駆動回路７５に出力する。また、各露光スポット間のピッチと正規のピッチの比較結果が正規のピッチよりも大きいか、または小さい場合には、制御手段は該当の発光素子の露光パワーを補正する制御信号を形成して駆動回路７５に出力する。
【００３０】
本発明の実施形態においては、発光素子として有機ＥＬ素子を用いる。有機ＥＬ素子は、発光部の直径を小さくしなくてよいので、発光部の光パワーを大きく取ることができる。このため、発光効率の高くない有機ＥＬ材料でも使用可能となる。また、有機ＥＬ素子は、高密度に露光画素を配することができるので、画素の数は飛躍的に増加する。
【００３１】
有機ＥＬ素子を光源に用いる場合には、ガラス基板上に一度に多数の画素を高密度かつ高精度に形成できる。また、本発明の実施形態においては、発光部の有機ＥＬ素子と同一のガラス基板上に、薄膜トランジスタで駆動回路を作成している。薄膜トランジスタは、アモルファスシリコン、低温ポリシリコン、高温ポリシリコン、有機トランジスタなど種種のものが利用できる。このため、発光部の有機ＥＬ素子と同じ工程で駆動回路も作成できるので、製造工程が簡略化される。
【００３２】
本発明の実施形態においては、４つの感光体に４つのラインヘッドで露光し、４色の画像を同時に形成し、１つの無端状中間転写ベルト（中間転写媒体）に転写する、タンデム式カラープリンター（画像形成装置）に用いるラインヘッドを対象としている。図４は、発光素子として有機ＥＬ素子を用いたタンデム式画像形成装置の一例を示す縦断側面図である。この画像形成装置は、同様な構成の４個の有機ＥＬ素子アレイ露光ヘッド１０１Ｋ、１０１Ｃ、１０１Ｍ、１０１Ｙを、対応する同様な構成である４個の感光体ドラム（像担持体）４１Ｋ、４１Ｃ、４１Ｍ、４１Ｙの露光位置にそれぞれ配置したものであり、タンデム方式の画像形成装置として構成されている。
【００３３】
図４に示すように、この画像形成装置は、駆動ローラ５１ｘと従動ローラ５２とテンションローラ５３が設けられており、テンションローラ５３によりテンションを加えて張架されて、図示矢印方向（反時計方向）へ循環駆動される中間転写ベルト（中間転写媒体）５０を備えている。この中間転写ベルト５０に対して所定間隔で配置された４個の像担持体としての外周面に感光層を有する感光体４１Ｋ、４１Ｃ、４１Ｍ、４１Ｙが配置される。
【００３４】
前記符号の後に付加されたＫ、Ｃ、Ｍ、Ｙはそれぞれ黒、シアン、マゼンタ、イエローを意味し、それぞれ黒、シアン、マゼンタ、イエロー用の感光体であることを示す。他の部材についても同様である。感光体４１Ｋ、４１Ｃ、４１Ｍ、４１Ｙは、中間転写ベルト５０の駆動と同期して図示矢印方向（時計方向）へ回転駆動される。各感光体４１（Ｋ、Ｃ、Ｍ、Ｙ）の周囲には、それぞれ感光体４１（Ｋ、Ｃ、Ｍ、Ｙ）の外周面を一様に帯電させる帯電手段（コロナ帯電器）４２（Ｋ、Ｃ、Ｍ、Ｙ）と、この帯電手段４２（Ｋ、Ｃ、Ｍ、Ｙ）により一様に帯電させられた外周面を感光体４１（Ｋ、Ｃ、Ｍ、Ｙ）の回転に同期して順次ライン走査する本発明の上記のような有機ＥＬ素子アレイ露光ヘッド（ラインヘッド）１０１（Ｋ、Ｃ、Ｍ、Ｙ）が設けられている。
【００３５】
また、この有機ＥＬ素子露光ヘッド１０１（Ｋ、Ｃ、Ｍ、Ｙ）で形成された静電潜像に現像剤であるトナーを付与して可視像（トナー像）とする現像装置４４（Ｋ、Ｃ、Ｍ、Ｙ）と、この現像装置４４（Ｋ、Ｃ、Ｍ、Ｙ）で現像されたトナー像を一次転写対象である中間転写ベルト５０に順次転写する転写手段としての一次転写ローラ４５（Ｋ、Ｃ、Ｍ、Ｙ）と、転写された後に感光体４１（Ｋ、Ｃ、Ｍ、Ｙ）の表面に残留しているトナーを除去するクリーニング手段としてのクリーニング装置４６（Ｋ、Ｃ、Ｍ、Ｙ）とを有している。
【００３６】
ここで、各有機ＥＬ素子アレイ露光ヘッド１０１（Ｋ、Ｃ、Ｍ、Ｙ）は、有機ＥＬ素子アレイ露光ヘッド１０１（Ｋ、Ｃ、Ｍ、Ｙ）のアレイ方向が感光体ドラム４１（Ｋ、Ｃ、Ｍ、Ｙ）の母線に沿うように設置される。そして、各有機ＥＬ素子アレイ露光ヘッド１０１（Ｋ、Ｃ、Ｍ、Ｙ）の発光エネルギーピーク波長と、感光体４１（Ｋ、Ｃ、Ｍ、Ｙ）の感度ピーク波長とは略一致するように設定されている。
【００３７】
現像装置４４（Ｋ、Ｃ、Ｍ、Ｙ）は、例えば、現像剤として非磁性一成分トナーを用いるもので、その一成分現像剤を例えば供給ローラで現像ローラへ搬送し、現像ローラ表面に付着した現像剤の膜厚を規制ブレードで規制し、その現像ローラを感光体４１（Ｋ、Ｃ、Ｍ、Ｙ）に接触あるいは押厚させることにより、感光体４１（Ｋ、Ｃ、Ｍ、Ｙ）の電位レベルに応じて現像剤を付着させることによりトナー像として現像するものである。
【００３８】
このような４色の単色トナー像形成ステーションにより形成された黒、シアン、マゼンタ、イエローの各トナー像は、一次転写ローラ４５（Ｋ、Ｃ、Ｍ、Ｙ）に印加される一次転写バイアスにより中間転写ベルト５０上に順次一次転写され、中間転写ベルト５０上で順次重ね合わされてフルカラーとなったトナー像は、二次転写ローラ６６において用紙等の記録媒体Ｐに二次転写され、定着部である定着ローラ対６１を通ることで記録媒体Ｐ上に定着され、排紙ローラ対６２によって、装置上部に形成された排紙トレイ６８上へ排出される。
【００３９】
なお、図４中、６３は多数枚の記録媒体Ｐが積層保持されている給紙カセット、６４は給紙カセット６３から記録媒体Ｐを一枚ずつ給送するピックアップローラ、６７は二次転写ローラ６６の二次転写部への記録媒体Ｐの供給タイミングを規定するゲートローラ対、６９は二次転写後に中間転写ベルト５０の表面に残留しているトナーを除去するクリーニング手段としてのクリーニングブレードである。
【００４０】
図５は、像書込手段１０１を拡大して示す概略の斜視図である。図５において、有機ＥＬ素子アレイ８１は、長尺のハウジング８０中に保持されている。長尺のハウジング８０の両端に設けた位置決めピン８９をケースの対向する位置決め穴に嵌入させると共に、長尺のハウジング８０の両端に設けたねじ挿入孔８８を通して固定ねじをケースのねじ穴にねじ込んで固定することにより、各像書込手段１０１が所定位置に固定される。
【００４１】
像書込手段１０１は、ガラス基板８２上に有機ＥＬ素子アレイ８１の発光素子（有機ＥＬ素子）８３を載置し、同じガラス基板８２上に形成された駆動回路８１により駆動される。屈折率分布型ロッドレンズアレイ（ＳＬＡ）６５は結像光学系を構成し、発光素子８３の前面に配置される屈折率分布型ロッドレンズ８４を俵積みしている。ロッドレンズアレイ６５には、前記のような「セルフォックレンズアレイ」（略称ＳＬＡ、日本板硝子株式会社の商標名）が多用されている。８４は、ロッドレンズである。
【００４２】
有機ＥＬ素子アレイ８１から射出された光ビームは、ＳＬＡ６５により等倍正立像として被走査面に結像する。このように、ガラス基板８２上に有機ＥＬ素子８３を配列しているので、発光素子の光量を損なうことなく像担持体に照射することができる。また、有機ＥＬ素子は静的な制御が可能であるので、ラインヘッドの制御系を簡略化できる。本発明においては、図４、図５に示されたようなタンデム方式の画像形成装置において、露光スポットのドットピッチが不均一であることに起因する、印字濃度に濃淡差が発生する事態を防止することができる。
【００４３】
図６は、異なる画像形成装置の縦断側面図である。図６において、画像形成装置１６０には主要構成部材として、ロータリ構成の現像装置１６１、像担持体として機能する感光体ドラム１６５、有機ＥＬアレイが設けられている像書込手段（ラインヘッド）１６７、中間転写ベルト１６９、用紙搬送路１７４、定着器の加熱ローラ１７２、給紙トレイ１７８が設けられている。
【００４４】
現像装置１６１は、現像ロータリ１６１ａが軸１６１ｂを中心として矢視Ａ方向に回転する。現像ロータリ１６１ａの内部は４分割されており、それぞれイエロー（Ｙ）、シアン（Ｃ）、マゼンタ（Ｍ）、ブラック（Ｋ）の４色の像形成ユニットが設けられている。１６２ａ〜１６２ｄは、前記４色の各像形成ユニットに配置されており、矢視Ｂ方向に回転する現像ローラ、１６３ａ〜１６３ｄは、矢視Ｃ方向に回転するトナ−供給ローラである。また、１６４ａ〜１６４ｄはトナーを所定の厚さに規制する規制ブレードである。
【００４５】
１６５は、前記のように像担持体として機能する感光体ドラム、１６６は一次転写部材、１６８は帯電器、１６７は像書込手段で有機ＥＬアレイが設けられている。感光体ドラム１６５は、図示を省略した駆動モータ、例えばステップモータにより現像ローラ１６２ａとは逆方向の矢視Ｄ方向に駆動される。中間転写ベルト１６９は、従動ローラ１７０ｂと駆動ローラ１７０ａ間に張架されており、駆動ローラ１７０ａが前記感光体ドラム１６５の駆動モータに連結されて、中間転写ベルトに動力を伝達している。当該駆動モータの駆動により、中間転写ベルト１６９の駆動ローラ１７０ａは感光体ドラム１６５とは逆方向の矢視Ｅ方向に回動される。
【００４６】
用紙搬送路１７４には、複数の搬送ローラと排紙ローラ対１７６などが設けられており、用紙を搬送する。中間転写ベルト１６９に担持されている片面の画像（トナー像）が、二次転写ローラ１７１の位置で用紙の片面に転写される。二次転写ローラ１７１は、クラッチにより中間転写ベルト１６９に離当接され、クラッチオンで中間転写ベルト１６９に当接されて用紙に画像が転写される。
【００４７】
上記のようにして画像が転写された用紙は、次に、定着ヒータＨを有する定着器で定着処理がなされる。定着器には、加熱ローラ１７２、加圧ローラ１７３が設けられている。定着処理後の用紙は、排紙ローラ対１７６に引き込まれて矢視Ｆ方向に進行する。この状態から排紙ローラ対１７６が逆方向に回転すると、用紙は方向を反転して両面プリント用搬送路１７５を矢視Ｇ方向に進行する。１７７は電装品ボックス、１７８は用紙を収納する給紙トレイ、１７９は給紙トレイ１７８の出口に設けられているピックアップローラである。用紙搬送路において、搬送ローラを駆動する駆動モータは、例えば低速のブラシレスモータが用いられる。また、中間転写ベルト１６９は色ずれ補正などが必要となるのでステップモータが用いられている。これらの各モータは、図示を省略している制御手段からの信号により制御される。
【００４８】
図の状態で、イエロー（Ｙ）の静電潜像が感光体ドラム１６５に形成され、現像ローラ６２ａに高電圧が印加されることにより、感光体ドラム１６５にはイエローの画像が形成される。イエローの裏側および表側の画像がすべて中間転写ベルト１６９に担持されると、現像ロータリ１６１ａが矢視Ａ方向に９０度回転する。中間転写ベルト１６９は１回転して感光体ドラム１６５の位置に戻る。次にシアン（Ｃ）の２面の画像が感光体ドラム１６５に形成され、この画像が中間転写ベルト１６９に担持されているイエローの画像に重ねて担持される。以下、同様にして現像ロータリ１６１の９０度回転、中間転写ベルト１６９への画像担持後の１回転処理が繰り返される。
【００４９】
４色のカラー画像担持には中間転写ベルト１６９は４回転して、その後に更に回転位置が制御されて二次転写ローラ１７１の位置で用紙に画像を転写する。給紙トレイ１７８から給紙された用紙を搬送路１７４で搬送し、二次転写ローラ１７１の位置で用紙の片面に前記カラー画像を転写する。片面に画像が転写された用紙は前記のように排紙ローラ対１７６で反転されて、搬送径路で待機している。その後、用紙は適宜のタイミングで二次転写ローラ１７１の位置に搬送されて、他面に前記カラー画像が転写される。ハウジング１８０には、排気ファン１８１が設けられている。
【００５０】
本発明においては、図６に示されたようなロータリ方式の画像形成装置において、露光スポットのドットピッチが不均一であることに起因した、印字濃度に濃淡差が発生する事態を防止することができる。また、図４、図６に示されたように、中間転写手段を有する画像形成装置において、露光スポットのドットピッチが不均一であることに起因した、印字濃度に濃淡差が発生する事態を防止することができる。
【００５１】
以上、本発明のラインヘッドおよびそれを用いた画像形成装置について実施例に基づいて説明したが、本発明はこれら実施例に限定されず種々の変形が可能である。
【図面の簡単な説明】
【００５２】
【図１】本発明の実施形態を示す説明図である。
【図２】本発明の処理手順を示すフローチャートである。
【図３】本発明の実施形態を示すブロック図である。
【図４】本発明の実施形態を示す画像形成装置の縦断側面図である。本発明にかかるラインヘッドの説明図である。
【図５】本発明にかかるラインヘッドの斜視図である。
【図６】本発明の他の実施形態を示す画像形成装置の縦断側面図である。
【図７】従来例を示す説明図である。
【図８】従来例の印字濃度を示す説明図である。
【符号の説明】
【００５３】
１…画像形成装置、６…画像形成ユニット、９…転写ベルトユニット、１６…中間転写ベルト、１７…クリーニング手段、２０…像担持体、２１…一次転写部材、２２…帯電手段、２３…像書込手段（ラインヘッド）、２４…現像手段、３３…現像ローラ、６５…屈折率分布型ロッドレンズアレイ（ＳＬＡ）、７０・・・本体コントローラ、７１…ラインヘッドの制御手段、７２・・・スポット位置検出手段のデータ入力部、７３・・・メモリ、７４・・・制御回路、７５・・・駆動回路、７６・・・発光素子への制御信号出力部、８０…ハウジング（ホルダ）、８２…基板、８３…画像形成用の発光素子、８４…ロッドレンズ。
【図１】
2007210139.tif 000003
【図２】
2007210139.tif 000004
【図３】
2007210139.tif 000005
【図４】
2007210139.tif 000006
【図５】
2007210139.tif 000007
【図６】
2007210139.tif 000008
【図７】
2007210139.tif 000009
【図８】
2007210139.tif 000010